(57)【特許請求の範囲】
【請求項１】
撮影レンズと撮影機構とが組み込まれたユニット本体に予め写真フイルムパトローネが装填された状態で販売され、使用後に撮影済みの写真フイルムパトローネが装填されたユニット本体ごと現像処理手続がなされるレンズ付きフイルムユニットであって、前記撮影レンズを撮影光軸に対し前後に移動してピントの調整を行うレンズ付きフイルムユニットのピント調整方法において、
撮影レンズを保持して鏡胴内に回動自在に収納されたレンズホルダを回動すると、レンズホルダの外周に形成された螺旋状の突条部の背面側が鏡胴の内壁に形成された突出片に摺接し、レンズホルダが撮影光軸に沿って前あるいは後ろに移動され、突条部の前面側に形成された歯列と弾性を有する係合片との係合によりレンズホルダが固定されることを特徴とするレンズ付きフイルムユニットのピント調整方法。
【請求項２】
前記突出片は、鏡胴内壁に撮影光軸に沿って螺旋状に形成されたカム面であることを特徴とする請求項１記載のレンズ付きフイルムユニットのピント調整方法。
【請求項３】
撮影レンズと撮影機構とが組み込まれたユニット本体に予め写真フイルムパトローネが装填された状態で販売され、使用後に撮影済みの写真フイルムパトローネが装填されたユニット本体ごと現像処理手続がなされるレンズ付きフイルムユニットのピント調整機構であって、内壁に突出片が形成された円筒状の鏡胴と、撮影レンズを保持するとともに鏡胴に回動自在に収納されるレンズホルダと、このレンズホルダの外壁に形成され背面が突出片に当接し前面に歯列が形成された螺旋状の突条部と、この突条部の歯列と係合する弾性を有した係合片が一体に形成され前記鏡胴に被せられる円筒状のレンズカバーとからなることを特徴とするレンズ付きフイルムユニットのピント調整機構。
【請求項４】
前記突出片は、鏡胴内壁の撮影光軸に沿って螺旋状に形成されたカム面であることを特徴とする請求項３記載のレンズ付きフイルムユニットのピント調整機構。
【請求項５】
前記ピント調整機構の前面側を覆う外板の内壁に、係合片を押圧して歯列に押しつける突起を設けたことを特徴する請求項３記載のレンズ付きフイルムユニットのピント調整機構。
【請求項６】
前記突条部の歯列のピッチは、ピッチ角４°（レンズホルダの外壁全周の９０等分）であり、前記カム面及び突条部の傾斜は、前記係合片と歯列との係合が１段移動するごとに前記レンズホルダが前あるいは後ろに０．２ｍｍ移動する角度であることを特徴とする請求項３又は４又は５記載のレンズ付きフイルムユニットのピント調整機構。
【発明の詳細な説明】
【０００１】
【産業上の利用分野】
本発明は、レンズ付きフイルムユニットに用いられるピント調整方法及びその機構に関するものである。
【０００２】
【従来の技術】
従来、カメラを携帯していない場合でも手軽に写真撮影が可能なレンズ付きフイルムユニット（商品名「写ルンですフラッシュ」等）が本出願人からも提供されている。このレンズ付きフイルムユニットは、撮影レンズ，シャッタを含む簡単な撮影機構の他、ストロボ装置及びフイルム巻上げ機構などを備えたユニット本体に、国際標準規格（ＩＳＯ  １００７−１９７９年版）で規定されたパトローネ付きフイルムを内蔵させたものである。これを購入したユーザーは、室内や暗い所でも手軽に写真撮影を楽しむことができ、しかも撮影終了後には、撮影済みの写真フイルムを取り出すことなく、そのままユニット本体ごと現像取扱店に出せばよく、フイルム巻き戻しやパトローネの取り出しなどの面倒な操作を行う必要はない。
【０００３】
上述したレンズ付きフイルムユニットのバリエーションの中には、実開平２−１０４３４０号公報で提案された望遠タイプのものがある。望遠タイプのレンズ付きフイルムユニットは、撮影レンズからフイルム露光面までの間に２枚の反射ミラーを配置し、撮影光路をＺ字型にして焦点距離を７０〜８０ｍｍに延ばしたものである。この望遠タイプのレンズ付きフイルムユニットは、比較的遠方の被写体を撮影するのに適している。しかしながら、遠方の被写体にはストロボ装置の光は届かないので、ストロボ装置は採用されていない。そのため、望遠タイプのレンズ付きフイルムユニットは、昼間の屋外でしか撮影を行うことができなかった。
【０００４】
このような望遠タイプのレンズ付きフイルムユニットを使用する機会としては、広い競技場内で行われるスポーツ、例えばサッカーや野球等の選手を撮影することが考えられる。しかし、従来のレンズ付きフイルムユニットでは若干焦点距離が短いため、このようなスポーツは昼間だけではなく夜間にもナイター競技として行われことが多く、従来の望遠タイプのレンズ付きフイルムユニットでは選手を大きく写すことができなかった。また、これらの競技は昼間のみでなく夜間にもナイター競技として行われることが多いが、従来の望遠タイプのレンズ付きフイルムユニットでは明るさが足りないため撮影することができなかった
【０００５】
上記問題点を解決するために、望遠タイプのレンズ付きフイルムユニットに明るい撮影レンズを使用し、焦点距離を１００ｍｍ程度に延ばすことが考えられる。しかしながら、レンズ付きフイルムユニットに使用される撮影レンズは低コストに製造するためにプラスチック製のものを用いており、明るい撮影レンズとするためにはレンズの口径を大きくしなければならない。また、撮影光軸がＺ字型であるため、通常の直線的な撮影光軸のレンズ付きフイルムユニットよりも各部品の加工精度，組立て精度の影響を受けやすく、長焦点化に際しては組立て時にピント調整を行う必要が生じる。
【０００６】
【発明が解決しようとする課題】
上記問題点を解決するために、望遠タイプのレンズ付きフイルムユニットに明るい撮影レンズを使用し、焦点距離を１００ｍｍ程度に延ばすことが考えられる。しかしながら、レンズ付きフイルムユニットに使用される撮影レンズは低コストに製造するためにプラスチック製のものを用いており、明るい撮影レンズとするためにはレンズの口径を大きくしなければならない。また、撮影光軸がＺ字型であるため、通常の直線的な撮影光軸のレンズ付きフイルムユニットよりも各部品の加工精度，組立て精度の影響を受けやすく、長焦点化に際しては組立て時にピント調整を行う必要が生じる。
【０００７】
ピント調整機構としては、撮影レンズを前後方向に移動させるヘリコイド方式が挙げられるが、この方式は撮影レンズを保持するレンズホルダと鏡胴との間に複雑な機構を組み込むため、撮影レンズ周囲に大きなスペースが必要となり、更にピント調整後には接着剤等でその位置を固定する必要がある。しかしながら、レンズ付きフイルムユニットは小型化が望まれているため、大きなスペースを必要とするヘリコイド方式は採用できない。また、レンズ付きフイルムユニットは、使用後に回収して再利用されるので接着剤を用いると分解ができなくなり、リサイクル適正が悪化する。
【０００８】
本発明は上記問題点に鑑みてなされたもので、省スペース，低コストでリサイクル適正に優れ、安定したピント調整が可能なピント調整方法及びその機構を提供することを目的とする。
【０００９】
【課題を解決するための手段】
上記問題点を解決するために、請求項１記載の発明はピント調節方法として、撮影レンズを保持して鏡胴内に回動自在に収納されたレンズホルダを回動すると、レンズホルダの外周に形成された螺旋状の突条部の背面側が鏡胴の内壁に形成された突出片に摺接し、レンズホルダが撮影光軸に沿って前あるいは後ろに移動され、突条部の前面側に形成された歯列と弾性を有する係合片との係合によりレンズホルダが固定されるようにしたものである。
【００１０】
また、請求項２記載の発明は、突出片として、鏡胴内壁に撮影光軸に沿って螺旋状に形成したカム面としたものである。
【００１１】
更に、請求項３記載の発明は、内壁に突出片が形成された円筒状の鏡胴と、撮影レンズを保持するとともに鏡胴に回動自在に収納されるレンズホルダと、このレンズホルダの外壁に形成され、背面が突出片に当接し前面に歯列が形成された螺旋状の突条部と、この突条部の歯列と係合する弾性を有した係合片が一体に形成され前記鏡胴に被せられる円筒状のレンズカバーとから、ピント調整機構を構成したものである。
【００１２】
また、請求項４記載の発明は、突出片として、鏡胴内壁に撮影光軸に沿って螺旋状に形成したカム面としたものである。
【００１３】
更に、請求項５記載の発明は、ピント調整機構の前面側を覆う外板の内壁に、係合片を押圧する突起を設けたものである。
【００１４】
また、請求項６記載の発明は、突条部の歯列のピッチをピッチ角４°（レンズホルダの外壁全周を９０等分）とし、カム面及び突条部の傾斜を前記係合片と歯列との係合が１段移動するごとにレンズホルダが前あるいは後ろに０．２ｍｍ移動するのに必要な角度としたものである。
【００１５】
【作用】
鏡胴内部に回動自在に収納されているレンズホルダを回動させる。レンズホルダは撮影レンズを保持した状態で回動し、回動に伴いレンズホルダに一体に設けられた突条部の歯列と、鏡胴に被せられるレンズカバーに形成された係合片との係合が移動する。歯列はピッチ角４°であるため、歯列と係合片との係合が１段移動するたびにレンズホルダは４°回転する。また、レンズホルダは、突条部の背面側が鏡胴内の突出片に対して摺接し、突条部が螺旋状とされているのでレンズホルダは前あるいは後ろに移動する。更に、突出片をカム面とすることにより突条部との摺接がスムースに行われ、ピント調整が容易になる。また、レンズホルダの前後への移動は、歯列と係合片との係合が１段移動するごとに０．２ｍｍとなるように、カム面と突条部との傾斜が設定されている。
【００１６】
【実施例】
図２において、レンズ付きフイルムユニット１１は、ユニット本体１２と、これを収納した外ケース１３とから構成されている。外ケース１３には、綺麗なカラー印刷が施され、また撮影時の注意事項等が印刷されている。
【００１７】
ユニット本体１２には、外ケース１３の開口から露呈されている撮影レンズ１４，ファインダ対物窓１５，シャッタボタン１６，フイルム残数表示窓１７，巻上げノブ１８，及び撮影モード切替え摘み１９が設けられている。撮影レンズ１４は、２個のプラスチックレンズで構成されており、焦点距離が、例えば１００ｍｍである。ファインダは、２個のファインダレンズによって構成されたガリレオタイプのファインダであり、これらのファインダレンズの間にフィルタが出入り自在に配置されている。
【００１８】
撮影モード切替え摘み１９は、日中撮影モードと夜景撮影モードとのいずれか１つを選択するためのものであり、図に示す位置で日中撮影モードが選択され、これからスロット２０の左端にスライド操作した場合には夜景撮影モードが選択される。日中撮影モードの際には、フィルタがファインダ内に入り込み、また撮影レンズ１４の光軸上に小口径の絞り開口が配置される。さらに夜景撮影モードの際には、ファインダ内からフィルタが退避し、このフィルタの退避移動に連動して撮影レンズ１４の光軸上に大口径の絞り開口が配置される。
【００１９】
ユニット本体１２は、図３に示すように本体基部２６，後カバー２７，露光ユニット２８，及び前カバー２９とから構成されている。本体基部２６には、国際標準規格（ＩＳＯ：１００７−１９７９年版）で規定された１３５タイプの写真フイルムパトローネ３１が装填される。この写真フイルムパトローネ３１には、例えばＩＳＯ８００の高感度写真フイルム３１ａが用いられている。
【００２０】
本体基部２６の前面には、露光ユニット２８が着脱自在に取り付けられる。露光ユニット２８は、撮影レンズ１４を備えた露光付与機構，フイルムカウンタ機構，絞り切替え機構，フィルタ出入り機構，及びフイルム巻き止め機構等が組み込まれており、これらは一体化されている。後カバー２７は、本体基部２６の背後に着脱自在に取り付けられ、本体基部２６との間で写真フイルム３１ａを光密に収納する。前カバー２９は、本体基部２６の前面に着脱自在に取り付けられる。
【００２１】
写真フイルムパトローネ３１は、写真フイルム３１ａと、この写真フイルム３１ａを光密に収納するパトローネ３１ｂとからなる。このパトローネ３１ｂは、写真フイルム３１ａの末端が固定されたスプール３１ｃが回転されたときに、露光済みの写真フイルム３１ａを巻き取るようになっている。
【００２２】
本体基部２６には、パトローネ３１ｂを収納するためのパトローネ収納室３３と、パトローネ３１ｂから引き出されて巻かれた未露光の写真フイルムロール３１ｄを収納するためのフイルム収納室３４とが一体成形されている。これらの底は開口となっており、後カバー２７に設けられたプルトップ式の底蓋３５，３６によってそれぞれ光密に塞がれる。底蓋３６は写真フイルム３１ａをロール状に巻き取るための治具等を挿入するための蓋であり、また、底蓋３５は全コマ撮影終了後に撮影済みの写真フイルム３１ａが収納されたパトローネ３１ｂを取り出す時の蓋となる。
【００２３】
巻き上げノブ１８は、パトローネ収納室３３の上面に回動自在に配置され、外部から操作が可能なように一部が後カバー２７の開口３７から露呈される。そして、パトローネ３１ｂが装填された際には巻き上げノブ１８の軸がパトローネ３１ｂのスプール３１ｃに係合する。
【００２４】
パトローネ収納室３３とフイルム収納室３４との間には、露光枠３８が位置しており、これには、２４×３６ｍｍのサイズの露光開口３９が形成されている。この露光開口３９には、露光ユニット２８の撮影レンズ１４を透過した被写体光が導かれる。なお、後カバー２７の右上端部には、ファインダ接眼窓４０が一体に設けられている。また前カバー２９には、右上端に設けたファインダ対物窓１５の他に、上面にスロット２０とシャッタボタン１６とが一体に設けられている。また、前カバー２９の前面にはシャッタ開放用開口２９ａが形成されている。このシャッタ開放用開口２９ａは、回収後に再使用された露光ユニット２８のピント検査を行う際に使用され、この開口２９ａから治具等を挿入してシャッタ羽根を開放するためのものである。
【００２５】
露光ユニット２８には、暗箱４１にシャッタ機構，フイルム巻き上げ機構，フイルムカウンタ機構，レンズユニット，絞り切替え機構，及びフィルタ出入り機構とが組み込まれている。
【００２６】
暗箱４１は、詳しくは図４及び図５に示すように、撮影レンズ１４の光軸４２をＺ字形にするために、正面上方に設けた正面上開口枠４３，背面上方に設けた背面上開口枠４４，正面下方に設けた正面下開口枠４５，及び背面下方に設けた背面下開口枠４６とがそれぞれ一体に形成された形状となっている。正面上開口枠４３の前面には、カバー板４７を介してシャッタユニット４８，絞り切替えレバー４９，及びレンズユニット５０とが順に組み込まれる。
【００２７】
背面上開口枠４４には増反射ミラー５１が取付けられ、さらに正面下開口枠４５には増反射ミラー５２が取り付けられる。撮影レンズ１４は、ファインダ対物窓１５とほぼ同じ高さに配置されている。そして、撮影レンズ１４の光軸４２は、増反射ミラー５１及び増反射ミラー５２とによりＺ字形に折り曲げられた後、露光開口３９の背後に位置決めされた写真フイルム３１ａに達する。撮影レンズ１４を通った被写体光束は、広がりながら写真フイルム３１ａに達するから、増反射ミラー５１は増反射ミラー５２よりも小サイズでよい。また、これらのミラー５１，５２を同じ傾斜角で傾けることによって、撮影レンズ１４に水平に入射した光軸４２を写真フイルム３１ａに水平に入射させることができる。
【００２８】
なお、増反射ミラー５１，５２は、ガラス基板の上にアルミニウム層、酸化セリウム層、及び、酸化チタン層を順に層設し、７００ｎｍでの反射率が８５％以上とした反射ミラーである。また、正面上開口枠４３と増反射ミラーとの間には、有効画角外からの斜入光をカットするための遮光板５３が取り付けられている。さらに、正面上開口枠４３と背面上開口枠４４との上面は開口５４となっている。
【００２９】
暗箱４１の右上には、対物レンズ５５と接眼レンズ５６とを所定間隔で保持する保持枠５７が一体に形成されており、この保持枠５７の上面も開口５８となっている。これらの開口５４，５８の上には、暗箱４１内部を光密に塞ぎ、且つファインダレンズ５５，５６を押さえるための天板５９が着脱自在に取り付けられる。この天板５９には、増反射ミラー５１の非ミラー面５１ａを覆う保護板６０が一体に形成されている。この保護板６０によって増反射ミラー５１が暗箱４１に保持される。
【００３０】
ファインダレンズ５５，５６は、露光ユニット２８が本体基部２６に取り付けられた際にファインダ対物窓１５とファインダ接眼窓４０との間に配置され、対物レンズ５５を凸，接眼レンズ５６を凹の構成として、写真フイルムに写る範囲と同じ、又はこれよりも８０％小さめの視野範囲としている。
【００３１】
天板５９の上には、光軸４２に対して直交する方向に移動自在な撮影モード切替えレバー６２が取り付けられている。この撮影モード切替えレバー６２には、上面に撮影モード切替え摘み１９が一体に形成されている。また、下面には天板５９に形成されたスリット５９ａに挿入され、フィルタ６３が保持される保持枠６２ａが一体に形成されており、これらでフィルタ出入り機構を構成している。フィルタ６３は、撮影モード切替え摘み１９を日中撮影モードの位置に操作した際に、ファインダレンズ５５，５６の間に挿入され、また、夜景撮影モードの位置に操作した際に、ファインダレンズ５５，５６の間から退避する。この撮影モード切替えレバー６２は、トグルバネ６４により日中撮影モード又は夜景撮影モードとのどちらかの位置に向けて付勢されている。
【００３２】
フィルタ６３は、周知のように減光フィルタであり、ファインダ対物窓１５からファインダ接眼窓４０に入射してくる被写体光を減光し、減光された被写体光を撮影者が見ることが可能な場合には、撮影者に適正な絞りで撮影できることを確認させる。また、減光された被写体光を撮影者が見ることができない場合には、撮影者に夜景撮影モードに切替える必要があることを警告する。また、フィルタ６３の中央には、透明部６３ａが設けられており、フィルタ６３を通してファインダを覗いても写る範囲の中心が良く見えるようにされている。
【００３３】
フィルタ出入り機構には、絞り切替え機構が連動している。絞り切替え機構は、連動板６５，及び絞り切替えレバー４９とから構成されている。連動板６５は、天板５９の上面に光軸４２に対して直交する方向に向けて移動自在に取り付けられており、撮影モード切替えレバー６２の移動量よりも絞り切替えレバー４９の移動量を少なくするために、一端６５ａが遊びを持った状態で撮影モード切替えレバー６２に連結されている。また、連動板６５の他端６５ｂは、絞り切替えレバー４９の一端４９ａに係合している。絞り切替えレバー４９は、カバー板４７に設けられた光軸４２と平行な軸４７ａを中心に回動自在に配置されており、軸４７ａを挟んだ他端に小口径、例えば直径２〜３ｍｍの絞り開口４９ｂが形成されている。この小口径の絞り開口４９ｂは、撮影モード切替え摘み１９が日中撮影モードの位置の際に光軸４２の上のシャッタユニット４８とレンズユニット５０との間に挿入され、また夜景撮影モードの位置の際には光軸４２の上から退避する。
【００３４】
暗箱４１の左上には、周知のシャッタ機構，フイルム巻き上げ機構，及びフイルムカウンタ機構を構成する従動スプロケット６７，カム部材６８，係止レバー６９，バネ７０，蹴飛ばしレバー７１，枚数表示板７２が取り付けられており、蹴飛ばしレバー７１の蹴飛ばし力が回動レバー７６，シャッタ駆動レバー７８，及びシャッタユニット４８に順に伝達される。
【００３５】
カム部材６８の軸には従動スプロケット６７が係合され、従動スプロケット６７は写真フイルム３１ａのパーフォレーションに係合されるので、これらはフイルム１コマ送りに従動して１回転する。カム部材６８の回転によって蹴飛ばしレバー７１が軸７３を中心に時計方向に回転するとともに、係止レバー６９が軸７４を中心として反時計方向に回転する。そして、カム部材６８が一回転すると、係止レバー６９がカム部材６８の回転をロックしてフイルム巻き止めを行うとともに、蹴飛ばしレバー７１をチャージ位置に保持する。バネ７０は、捩じりバネとなっており、係止レバー６９を時計方向に、また蹴飛ばしレバー７１を反時計方向に向けてそれぞれ付勢している。カム部材６８が一回転した際には、枚数表示板７２が１目盛分だけ回転する。
【００３６】
シャッタボタン１６の押下によって係止レバー６９が反時計方向に押圧される。これによりフイルム巻き止めが解除されるとともに、蹴飛ばしレバー７１がバネ７０の付勢によってチャージ位置から初期位置に向けて回転する。このシャッタ駆動レバー７１には、蹴飛ばしアーム７１ａが一体に形成されている。蹴飛ばしアーム７１ａの移動路には、回動レバー７６の爪部７６ａが待機している。
【００３７】
回動レバー７６は、光軸４２と平行に設けられた軸７５に回動自在に取り付けられており、詳しくは図６に示すように、爪部７６ａの他に、前方に向けて突出した連結ピン７６ｂが一体に形成されている。この連結ピン７６ｂは、シャッタ駆動レバー７８に連結され、回動レバー７６の回転力をシャッタ駆動レバー７８に伝達する。
【００３８】
バネ７７は、一端が回動レバー７６に形成されたピン７６ｃに、他端が暗箱４１に一体に形成されたピン８０にそれぞれ引っかけられ、回動レバー７６を反時計方向に付勢している。そして、暗箱４１には回動レバー７６が当接し、バネ７７の付勢に抗して回動レバー７６の回動を阻止するストッパー７９が一体に形成されている。
【００３９】
爪部７６ａが蹴飛ばしアーム７１ａで蹴飛ばされることにより、回動レバー７６は軸７５を中心として時計方向に回動してシャッタ駆動レバー７８を回転させる。そして、蹴飛ばしレバー７１が初期位置に回転した後には、蹴飛ばしアーム７１ａが爪部７６ａを乗り越え、バネ７７の付勢により回動レバー７６が初期位置に引き戻され、ストッパー７９に当接する。
【００４０】
シャッタ駆動レバー７８は、光軸４２と平行な軸８１を中心として回動自在に取り付けられており、軸８１に嵌め込まれる軸受部７８ａを挟んだ両端側に、レバー７８ｂ，７８ｃがそれぞれ一体に形成されている。レバー７８ｂには、前方に向けて突出した連結ピン７８ｄが一体に形成され、またレバー７８ｃにはカム孔７８ｅが形成されている。連結ピン７８ｄは、シャッタユニット４８のシャッタ羽根８４，８５に係合される。カム孔７８ｅには、前記連結ピン７６ｂが嵌入される。なお、軸７５，８１は、暗箱４１に一体に形成されている。
【００４１】
このシャッタ駆動レバー７８は、前方に突出した撮影レンズ１４の直後で開閉するシャッタ羽根８４，８５に、光軸４２に沿って凹んだ位置に配置された回動レバー７６の回転力を伝達するために、シャッタ連結ピン７８ｄとカム孔７８ｅとが光軸４２に対して異なった面で揺動するように断面がクランク状に形成されている。
【００４２】
シャッタユニット４８は、シャッタベース８３，同形状をなす一対のシャッタ羽根８４，８５及びシャッタカバー８６とから構成されている。シャッタベース８３には、光軸４２の上に設けられたシャッタ開口８３ａと、増反射ミラー５２の非ミラー面５２ａを覆う保護板８３ｂとが一体に形成されている。また、シャッタカバー８６の光軸４２の上には、絞り切替えレバー４９の絞り開口４９ｂよりも大きい口径、例えば直径約５〜６ｍｍの絞り開口８６ａが形成されている。
【００４３】
一対のシャッタ羽根８４，８５は、シャッタベース８３に形成された２つの軸８３ｃ，８３ｄを中心にそれぞれ回動自在に配置されており、これらの軸８３ｃ，８３ｄの間に形成された開口８３ｅを介して前記シャッタ連結ピン７８ｄが入り込む係合孔８４ａ，８５ａがそれぞれに設けられている。したがって、シャッタ駆動レバー７８が回動するとシャッタ連結ピン７８ｄによって一対のシャッタ羽根８４，８５が同時に開閉する。シャッタ羽根８４，８５の開閉は、同図に二点鎖線で示す閉じ位置と、同図に実線で示す開き位置との間で行われる。この開閉は、２枚のシャッタ羽根８４，８５で行うようにしているため瞬時に行え、露光ムラの防止に寄与している。
【００４４】
なお、シャッタ駆動レバー７８のカム孔７８ｅには、シャッタ羽根８４，８５を駆動する直線部と、シャッタ羽根８４，８５を開き一に保持する曲線部が設けられているので、２枚構成のシャッタ羽根でも安定したシャッタ速度を得ることができる。
【００４５】
図１に示すように、レンズユニット５０は、レンズベース９０，レンズホルダ９１及び撮影レンズ１４，押さえ環９２，レンズカバー９３とから構成されており、これらはシャッタユニット４８の前面に着脱自在に取り付けられる。撮影レンズ１４は、後レンズ９４及び前レンズ９５と、これらの間に挿入されるスペーサ９６とから構成されており、従来の望遠タイプのレンズ付きフイルムユニットに用いられていた撮影レンズより大口径で明るいものとなっている。
【００４６】
撮影レンズ１４は、円筒状のレンズホルダ９１に保持される。後レンズ９４，前レンズ９５にはそれぞれ外周に突片９４ａ，９５ａが形成されており、この突片をレンズホルダ９１内の溝９１ａに合わせて挿入することにより、撮影レンズ１４がレンズホルダ９１内で回転するのが防止される。
【００４７】
また、レンズホルダ９１には押さえ環９２も収められる。この押さえ環９２は、中央に開口９２ａが形成された円板の外周に、３個の突片９２ｂと、前面側に向かって突出された３個の突条９２ｃを一体に形成したもので、レンズホルダ９１の内径に対して締まりばめとなるような直径となっている。そして、突片９２ｂをレンズホルダ９１内の溝９１ｂに合わせて圧入することにより、撮影レンズ１４がレンズホルダ９１内で前後に移動するのが防止される。
【００４８】
レンズベース９０には、レンズホルダ９１が挿入される鏡胴９８が一体に形成されており、その内壁には突出片として光軸４２に沿って螺旋状とされたカム面９８ａが３個形成されている。また、レンズホルダ９１の外壁には、カム面９８ａと同方向の螺旋状とされた突条部９９が３個形成されている。図７に示すように、突条部９９の背面側は平面とされており、カム面９８ａに対して当接するようになっている。また、突条部９９の前面側には階段状にされた歯列１００が形成されている。
【００４９】
図１に示すように、レンズホルダ９１が収納されたレンズベース９０には、内径が鏡胴９８の外径と同一とされたレンズカバー９３が取り付けられる。レンズカバー９３には左右に張り出した支持板９３ａが一体に形成されており、この支持板９３ａに形成された係合部９３ｂを鏡胴９８の側面に形成された爪９８ｂに係合することによって、レンズベース９０にレンズカバー９３が取り付けられる。レンズカバー９３の前面側には、一端がレンズカバー９３に連なり、他端が自由にされ弾性を付与された係合片１０２が３個形成されている。そして、レンズカバー９３をレンズベース９０に取り付けると、図７に示すように、係合片１０２の自由端側に形成された突起１０２ａが、レンズホルダ９１突条部９９の歯列１００に噛合するようになっている。
【００５０】
歯列１００は、図８に示すように定ピッチで設けられており、そのピッチ角θは、４°（レンズホルダの外周の９０等分）とされている。また、カム面９８ａと突条部９９の傾斜は、係合片１０２と歯列１００との係合が１段移動するごとに、レンズホルダ９１を前あるいは後ろに０．２ｍｍ移動させる傾斜となっている。このように、レンズホルダ９１の回転量と移動量とが対応しており、移動量は僅か０．２ｍｍ刻みで移動できるので、撮影レンズ１４をピントのピーク位置に調整するのは非常に容易となっている。また、係合片１０２と突条部９９とカム面９８ａとの位置関係は、レンズホルダ９１が回転されても変わらないので、係合片１０２に余分な負荷をかけることがない。そのため、レンズホルダ９１を固定するためのバネを単独で設ける必要もないし、レンズカバー９３をリサイクル時に再使用することができる。
【００５１】
ピントの調整は、組立て後の露光ユニット２８に対して行われるが、その際には図９に示すような治具１０５が用いられる。治具１０５は、先端部１０６に三叉状に嵌合片１０６ａが形成されており、この先端部１０６をレンズカバー９３の前面側から挿入し、嵌合片１０６ａを押さえ環９２に形成された突条９２ｃ間の隙間９２ｄに嵌め合わせ、治具１０５を回動することによって行われる。
【００５２】
レンズホルダ９１は、図中で時計方向に回動されると、突条部９９の背面側がカム面９８ａに対して摺動し、歯列１００は係合片１０２を撓ませてクリック音を発し、レンズホルダ９１は鏡胴９８から突出する方向に移動される。逆に、レンズホルダ９１が反時計方向に回動されると、レンズホルダ９１は鏡胴９８内に収納される方向に移動される。そして、レンズホルダ９１の回動後には、係合片１０２は再び歯列１００と係合してレンズホルダ９１を固定する。係合片１０２と歯列１００との係合が一段移動すると、レンズホルダ９１が前後に０．２ｍｍ移動するので、治具１０５の回転角度によってレンズホルダ９１の移動量を容易に制御することができる。
【００５３】
また、図７に示すように前カバー２９の内壁には、レンズカバー９３の係合片１０２に対面する位置に突起１０７が形成されている。この突起１０７は、ピント調整が済んだ露光ユニット２８が本体基部２６に取付けられ、この本体基部２６に前カバー２９が取り付けられることにより係合片１０２に当接して押圧するようになっている。これにより係合片１０２が歯列１００に押し付けられるので、レンズ付きフイルムユニット１１に落下等による衝撃が与えられてもレンズホルダ９１が不用意に回動してピントが狂うようなことはない。
【００５４】
次に、上記実施例の作用について説明する。露光ユニット２８は、露光ユニット組立てラインで暗箱４１に対しフイルム巻止め機構，フィルタ出入り機構，絞り切替え機構，シャッタユニット４８，レンズユニット５０等の各構成部品が組付けられて完成する。組み立てられた露光ユニット２８は、レンズ付きフイルムユニット組立てラインに搬送され、本体基部２６の前面側に取り付けられる。
【００５５】
露光ユニット２８が取り付けられた本体基部２６は、次工程であるピント検査工程に搬送される。ピント検査工程では、前面側から撮影レンズ１４に向かってレーザ光線が照射され、このレーザ光線が適正な位置で結像されるかを確認することによってピントの確認を行う。このピント検査で合格したものは、次工程で本体基部２６の前面に前カバー２９が取り付けられる。前カバー２９が取り付けられると、図７に示すように、前カバー２９の内壁に形成された突起１０７がレンズカバー９３の係合片１０２に当接して押圧し、係合片１０２の突起１０２ａをレンズホルダ９１の歯列１００に押しつける。これにより、露光ユニット２８のピント位置が固定され、多少の衝撃が与えられてもピント位置がずれることはない。
【００５６】
また、ピント検査で不合格となった露光ユニット２８が取り付けられた本体基部２６は、ピント調整工程に搬送される。このピント調整工程では、ピント検査工程から送られてきた不合格データに基づいてピントの調整が行われる。ピント調整は、図９に示す治具１０５をレンズカバー９３の前面側から挿入し、先端部１０６の嵌合片１０６ａをレンズホルダ９１の突条９２ｃ間の隙間９２ｄに嵌め合わせる。そして、治具１０５がモータの駆動により不合格データに基づいた回転を行う。
【００５７】
例えば図中において、治具１０５が時計方向に回転された場合、レンズホルダ９１は突条部９９の背面側がカム面９８ａに対して摺動し、レンズホルダ９１は鏡胴９８から突出する方向に移動される。このレンズホルダ９１の移動時には突条部９９の歯列１００により係合片１０２が撓まされ、移動が終了すると再び歯列１００と係合片１０２の突起１０２ａとが係合される。
【００５８】
ピント調整が終了した露光ユニット２８は次工程に搬送され、本体基部２６の前面に前カバー２９が取り付けられてピント位置が固定される。その後、写真フイルムパトローネ３１が装填されてから後カバー２７が取り付けられてユニット本体１２となり、その上に外ケース１３が被せられてレンズ付きフイルムユニット１１が完成する。
【００５９】
販売されているレンズ付きフイルムユニット１１は、撮影モード切替え摘み１９が日中撮影モードにセットされた状態で防湿防温のガゼット袋に収納されており、購入後には、ガゼット袋を破いてレンズ付きフイルムユニット１１を取り出す。取り出したときには、外ケース１３のスロット２０の両端の部分に、図２に示すように、太陽マーク１３ａと月マーク１３ｂとが施されているので、写真知識を有するユーザーは日中撮影と夜景撮影とが随時切替えできるタイプであることが確実に理解できる。
【００６０】
日中撮影モードの状態では、光軸４２の上に小口径の絞り開口４９ｂが位置しており、また、ファインダレンズ５５，５６の間にフィルタ６３が挿入された状態となっている。
【００６１】
撮影を行う場合には、先ず、巻き上げノブ１８を回してフイルム巻き上げを行う。このフイルム巻き上げによって、写真フイルム３１ａがパトローネ３１ｂのスプール３１ｃに巻かれる。ここで、レンズ付きフイルムユニット１１は、工場出荷時に蹴飛ばしレバー７１がチャージ位置の直前の状態になっているため、写真フイルム３１ａの僅かな量がパトローネ３１ｂに巻き戻されると、従動スプロケット６７を介してカム部材６８が僅かに回転し、係止レバー６９によって蹴飛ばしレバー７１がチャージ位置で保持される。このとき、フイルム巻き止め機構が作動して従動スプロケット６７の回転が阻止される。
【００６２】
シャッタチャージ後、ユーザーはファインダ接眼窓４０から、撮影すべきシーンを観察するが、このときフィンダーレンズ５５，５６の間にはフィルタ６３が挿入された状態となっているため、ユーザーは違和感を持つ。この時点で外ケース１３の印刷を読むことによって、このレンズ付きフイルムユニット１１が、日中撮影と夜景撮影との両方ができるタイプであることに気がつく。したがって、初心者であっても、日中撮影もしくは夜景撮影を適宜選択して、撮影を行うことが可能となる。
【００６３】
ファインダ接眼窓４０を覗いてフレーミングを行う。ファインダレンズ５５，５６の光軸は、撮影レンズ１４の光軸４２と平行で、しかもほぼ同じ高さ位置で接近した位置にあるため、近距離にある被写体に対してもパララックスがほとんど生じることがない。
【００６４】
シャッタボタン１６を押下すると、係止レバー６９が反時計方向に付勢される。これにより、蹴飛ばしレバー７１がバネ７０の付勢によって軸７３を中心に時計方向に回転するとともに、フイルム巻き止め機構のロックが解除される。このときにシャッタ羽根８４，８５は、図６に２点鎖線で示したような閉じ位置にある。
【００６５】
蹴飛ばしレバー７１がチャージ位置から初期位置に向けて回転すると、蹴飛ばしアーム７１ａが回動レバー７６の爪部７６ａを蹴飛ばし、回動レバー７６がバネ７７の付勢に抗して軸７５を中心に時計方向に回転する。これにより連結ピン７６ｂは、カム孔７８ｅ内を移動しながらシャッタ駆動レバー７８を軸８１を中心に反時計方向に回転させる。このシャッタ駆動レバー７８の回転により、シャッタ羽根８４が軸８３ｃを中心に反時計方向に回転され、またこれと同時にシャッタ羽根８５が軸８３ｄを中心として時計方向に回転する。そして、図６に実線で示すように、シャッタ羽根８４，８５が開放状態となる。
【００６６】
蹴飛ばしアーム７１ａが爪部７６ａを乗り越えた時点で回動レバー７６がバネ７７の付勢によって初期位置に引き戻され、シャッタ駆動レバー７８は軸８１を中心に時計方向に回転され、シャッタ羽根８４，８５が閉じ位置に向けて回転する。そして、回動レバー７６が初期位置に戻った時点で、２点鎖線で示すようにシャッタ羽根８４，８５が閉じ状態となる。このとき、回動レバー７６がストッパー７９に当接し、回動レバー７６の回動が阻止される。
【００６７】
シャッタ羽根８４，８５が開閉中には、撮影レンズ１４を透過した被写体光が小口径の絞り開口４９ｂを通過してシャッタ開口８３ａから入射する。この被写体光は、遮光板５３を通って増反射ミラー５１で増反射ミラー５２に向けて反射され、さらに増反射ミラー５２で背面下開口枠４６に向けて反射されて露光開口３９に導かれ、写真フイルム３１ａに照射される。写真フイルム３１ａへの露光は、絞り開口４９ｂが小口径となっているから、高輝度被写体に適したものとなる。
【００６８】
ファインダを覗いたときに、フィルタ６３によって減光された被写体光を観察することができない場合には、撮影モード切替え摘み１９を夜景撮影モードの位置に切替える。これにより、撮影モード切替えレバー６２が光軸４２に対して直交する方向にスライド移動し、ファインダレンズ５５，５６の間からフィルタ６３が退避する。さらに、撮影モード切替えレバー６２の移動によって絞り切替えレバー４９が軸４７ａを中心として反時計方向に回転し、絞り開口４９ｂが光軸４２の上から退避する。
【００６９】
フィルタ６３が退避すると、ファインダに入射する被写体光をそのまま観察することができるので、フレーミングを行ってからシャッタボタン１６を押下する。これにより、前述したと同じにシャッタ羽根８４，８５が開閉し、撮影レンズ１４を通過した被写体光が大口径の絞り開口８６ａを通過して、写真フイルム３１ａに入射する。この露光は、絞り開口８６ａが大口径となっているから、低輝度被写体に適したものとなる。
【００７０】
以下、フイルム巻き上げの前又は後に、撮影モード切替え摘み１９を操作して日中撮影と夜景撮影とのいずれか一方を選択しながら撮影を行う。そして、全てのコマの撮影が終了した後に、レンズ付きフイルムユニット１１は、写真フイルムパトローネ３１を入れたままの状態で現像所に提出される。現像所では、レンズ付きフイルムユニット１１から、写真フイルムパトローネ３１を取り出し、パトローネ３１ｂから写真フイルム３１ａを引き出して周知の現像及びプリント処理を行う。そして、ユーザーにプリント写真と現像済みの写真フイルム３１ａとを返却する。空となったレンズ付きフイルムユニット１１は、ユーザーに返却されることなく、工場に回収されてリサイクルされる。
【００７１】
回収されたレンズ付きフイルムユニット１１は分解されて、溶解，ペレット化により原料として再利用される部品と、機能検査を経て再使用される部品とに分類される。露光ユニット２８は再使用部品であり、リサイクルラインに搬送され、シャッタ機構の検査に合格したものについては、新しく成形された本体基部２６に組付けられる。そして、前カバー２９が本体基部２６に取り付けられて、前カバー内壁の突起１０７がシャッタカバー９３の係合片１０２を押圧してピント位置を固定する。
【００７２】
前カバー２９が取り付けられた本体基部２６はピント検査工程に搬送され、前カバー２９の前面に形成されたシャッタ開放用開口２９ａから棒状の治具（図示せず）が挿入される。この治具は、回動レバー７６を図４中において時計方向に回転し、シャッタ駆動レバー７８を介してシャッタ羽根８４，８５を開放状態とするためのものである。シャッタ羽根８４，８５が開放された後、前面側から撮影レンズ１４にレーザー光線が照射され、最初の組み立て時と同様にピント検査が実施される。しかしながら、最初のピント検査時にピント調整が行われ、レンズ付きフイルムユニット１１の完成時には前カバー２９でピントのずれを防止されているので、新たにピント調整を要する露光ユニット２８は稀であるが、ピントのずれている露光ユニット２８は再びピント調整工程に搬送される。
【００７３】
再使用された露光ユニット２８が組み込まれたレンズ付きフイルムユニット１１は、写真フイルムパトローネ３１の装填，後カバー２７の取付け，外カバー１３の装着，ガセット袋への装填を経て再び出荷される。
【００７４】
上記実施例では、２枚構成の撮影レンズをレンズホルダに保持し、ピント調整はレンズホルダを移動して行うようにしたが、撮影レンズが１枚の場合には、撮影レンズの外周にカム面に対応する突条部を一体に設けることによって、ピント調整機構を構成することもできる。また、望遠タイプのレンズ付きフイルムユニットを例に説明したが、本発明はこれに限らず、低価格なコンパクトカメラ等にも利用することができる。
【００７５】
【発明の効果】
以上説明したように、本発明のピント調整方法は、撮影レンズを保持するレンズホルダを回転することによってピント調整を行うようにしたので、簡単にピントの調整を行うことができる。また、自動化しやすいので、ピント検査工程への組み込みも可能となる。
【００７６】
また、本発明のピント調整機構は、鏡胴内に形成された突出片とレンズホルダ外壁の突条部との当接により、レンズホルダを回転するだけでレンズホルダを前後に移動することができ、この移動時にはレンズカバーの係合片と突条部の歯列とが常に係合しているので、レンズホルダがピント調整後にずれることがなく安定したピント調整が可能となる。また、突出片をカム面としたことにより、突条部との摺接がスムースに行われ、ピント調整が容易になる。更に、突出片や突条部，係合片等をレンズホルダや鏡胴及びレンズカバー等と一体化したので低コストに製造でき、更にカム面と突条部とは鏡胴内に納まるので、本ピント調整機構を用いた機器の小型化に寄与できる。
【００７７】
また、ピント調整機構の前面側を覆う外板の内壁に、係合片を押圧して歯列に押しつける突起を設けたことにより、多少の衝撃が与えられてもピント位置がずれることはない。更に、ピント位置の固定に接着剤を使用しないので、リサイクル適正も向上する。
【００７８】
更に、レンズホルダの回転量と移動量とが対応しており、最小の移動量が僅か０．２ｍｍであるため、細かいピント調整ができ、撮影レンズをピントのピーク位置に容易に設定することができる。
【図面の簡単な説明】
【図１】レンズユニットの構成を示す外観斜視図である。
【図２】レンズ付きフイルムユニットの外観を示す斜視図である。
【図３】ユニット本体の構成を示す分解斜視図である。
【図４】露光ユニットの構成を示す分解斜視図である。
【図５】ユニット本体の要部断面図である。
【図６】シャッタユニットの構成を示す分解斜視図である。
【図７】前カバーと係合片と突条部とカム面との位置関係を示す説明図である。
【図８】レンズホルダの正面図である。
【図９】ピント調整方法の説明図である
【符号の説明】
１１  レンズ付きフイルムユニット
１４  撮影レンズ
９０  レンズベース
９１  レンズホルダ
９２  押さえ環
９３  レンズカバー
９８  鏡胴
９８ａ  カム面
９９  突条部
１００  歯列
１０２  係合片
１０２ａ  突起
【図１】
0003606598.tif 000002
【図２】
0003606598.tif 000003
【図３】
0003606598.tif 000004
【図４】
0003606598.tif 000005
【図５】
0003606598.tif 000006
【図６】
0003606598.tif 000007
【図７】
0003606598.tif 000008
【図８】
0003606598.tif 000009
【図９】
0003606598.tif 000010